(57)【要約】      （修正有）【課題】家畜の飲水量を増加させることが可能な家畜の飼育方法を提供する。【解決手段】本発明の家畜の飼育方法は、内部を水が通過する通水管１３と、通水管１３の内部を通過する水に磁気を作用させる磁気作用面を有する永久磁石１４Ａ，１４Ｂと、略コの字型に折曲されているヨーク１６Ａ，１６Ｂと、を備える水活性化装置１により磁気処理された磁気処理水を、家畜に、飲料水として飲ませる。これにより、家畜の飲水量を増加させることが可能となる。【選択図】図４Ａ
2018134047.tif 000002
【特許請求の範囲】
【請求項１】
内部を水が通過する通水管と、前記通水管の内部を通過する水に磁気を作用させる磁気作用面を有する永久磁石と、を備える水活性化装置により磁気処理された磁気処理水を、家畜に、飲料水として飲ませる家畜の飼育方法。
【請求項２】
前記水活性化装置は、前記永久磁石の前記磁気作用面の反対面側に配されて、その両端部が前記磁気作用面側に略コの字型に折曲されているヨークを、更に備え、
前記永久磁石の着磁方向に対して略直交する方向における、前記ヨークの両端部と前記永久磁石との間の距離は、前記永久磁石の厚さの１／２よりも大きい請求項１に記載の家畜の飼育方法。
【請求項３】
前記水活性化装置の前記通水管の中心線に沿った複数箇所の平均磁束密度が０．２５Ｔ〜０．３５Ｔの間である請求項１又は２に記載の家畜の飼育方法。
【請求項４】
前記水活性化装置の前記通水管内で発生する起電力が、５０ｍＶ〜１７０ｍＶの間である請求項１から３のいずれかに記載の家畜の飼育方法。
【請求項５】
請求項１〜４のいずれかに記載の家畜の飼育方法を実施するための家畜飼育ユニットであって、
上方が開放された箱形状に形成され、内部に複数の家畜が放される飼育部と、
前記飼育部に、家畜の飲料水を供給する飲料水供給路と、を備え、
前記飲料水供給路に、前記水活性化装置が設けられている家畜飼育ユニット。
【発明の詳細な説明】
【技術分野】
【０００１】
本発明は、家畜の飼育方法及び家畜飼育ユニットに関する。
【背景技術】
【０００２】
従来、豚等の家畜を家畜飼育ユニットにより飼育する場合がある。このような家畜飼育ユニットとして、屋根部と側壁部とをＦＲＰによって一体的に形成することにより全体的に方形状の逆箱形に形成されることになる豚舎本体を、コーナー部及び／又はコーナー部の間に位置する中間部となるように縦割りの分割ピースに成型し、これら各ピースの分割面相当位置を互いに連結した豚舎が提案されている（特許文献１参照）。
【０００３】
家畜飼育ユニットには、家畜に水の飲ませるための水飲み場が設置され、この水飲み場に水道管が接続され、この水道管から水飲み場に、家畜の飲料水が提供される。
【先行技術文献】
【特許文献】
【０００４】
【特許文献１】特開平１０−２９０６３９号公報
【発明の概要】
【発明が解決しようとする課題】
【０００５】
ところで、家畜は、離乳期から餌を食べ始めるとともに、飲水し始める。離乳は、家畜にとってストレスが大きいものであり、下痢が出やすくなる。下痢をすると、脱水により体力を消耗する。このため、離乳期の家畜には、水をたくさん飲ませる必要がある。
【０００６】
また、家畜は、肥育期においては、飼料をより多く摂取させる必要がある。飼料をたくさん摂取させるためには、水をたくさん飲ませる必要がある。例えば、豚の場合、４０ｋｇ以上になった場合、飼料に対して約３倍の水を飲ませる必要がある。飲水量が減ると、飼料の摂取量も減り、体重の増加が低減してしまう。このため、家畜の飼育においては、家畜の飲水量を増加させることは重用である。
【０００７】
本発明の目的は、家畜の飲水量を増加させることが可能な家畜の飼育方法及び家畜飼育ユニットを提供することである。
【課題を解決するための手段】
【０００８】
本発明の家畜の飼育方法は、
内部を水が通過する通水管と、前記通水管の内部を通過する水に磁気を作用させる磁気作用面を有する永久磁石と、を備える水活性化装置により磁気処理された磁気処理水を、家畜に、飲料水として飲ませる。
【０００９】
上記家畜の飼育方法において、
前記水活性化装置は、前記永久磁石の前記磁気作用面の反対面側に配されて、その両端部が前記磁気作用面側に略コの字型に折曲されているヨークを、更に備え、
前記永久磁石の着磁方向に対して略直交する方向における、前記ヨークの両端部と前記永久磁石との間の距離は、前記永久磁石の厚さの１／２よりも大きいことが好ましい。
【００１０】
また、上記家畜の飼育方法において、
前記水活性化装置の前記通水管の中心線に沿った複数箇所の平均磁束密度が０．２５Ｔ〜０．３５Ｔの間であることが好ましい。
【００１１】
また、上記家畜の飼育方法において、
前記水活性化装置の前記通水管内で発生する起電力が、５０ｍＶ〜１７０ｍＶの間であることが好ましい。
【００１２】
本発明の家畜飼育ユニットは、
上記家畜の飼育方法を実施するための家畜飼育ユニットであって、
上方が開放された箱形状に形成され、内部に複数の家畜が放される飼育部と、
前記飼育部に、家畜の飲料水を供給する飲料水供給路と、を備え、
前記飲料水供給路に、前記水活性化装置が設けられている。
【発明の効果】
【００１３】
本発明によれば、家畜の飲水量を増加させることが可能な家畜の飼育方法及び家畜飼育ユニットを提供できる。
【図面の簡単な説明】
【００１４】
【図１】本実施形態に係る家畜飼育ユニット１００の平面配置を示す模式図である。
【図２】本実施形態に係る水活性化装置１の外観を示す模式図である。
【図３】水活性化装置１から蓋体１２Ａを外したときのハウジング本体１１の内部の状態を示す模式図である。
【図４Ａ】水活性化装置１の通水管１３、永久磁石１４Ａ，１４Ｂ及びヨーク１６Ａ，１６Ｂの分解図であり、水活性化装置１の製造方法を説明するための図である。
【図４Ｂ】図４Ａに続く図である。
【図４Ｃ】図４Ｂに続く図である。
【図４Ｄ】図４Ｃに続く図である。
【図４Ｅ】図４Ｄに続く図である。
【図４Ｆ】図４Ｅに続く図である。
【図５】実験例における水活性化装置１の内部を模式的に示した図である。
【図６】実験例１の実験結果を示すグラフである。
【図７】実験例２の実験結果を示すグラフである。
【図８】実験例３の実験結果を示すグラフである。
【発明を実施するための形態】
【００１５】
以下、本発明の具体的な実施形態について、詳細に説明するが、本発明は、以下の実施形態に何ら限定されるものではなく、本発明の目的の範囲内において、適宜変更を加えて実施することができる。
【００１６】
＜家畜飼育ユニット１００＞
図１は、本実施形態に係る家畜飼育ユニット１００の平面配置を示す模式図である。家畜飼育ユニット１００は、飼育部１１０と、飲料水供給路１２０と、を備える家畜（例えば、豚等）を飼育する設備である。
【００１７】
飼育部１１０は、上方が開放された箱形状に形成され、内部に複数の家畜が放される。飼育部１１０は、家畜が放される内部空間１１０ａを囲う壁部１１１を少なくとも備える。壁部１１１は、家畜が乗り越えることができない高さ寸法の複数のパネルで形成されている。壁部１１１は、複数のパネルが、幅方向の側縁が互いに連結されることで、内部空間１１０ａを形成する。即ち、家畜飼育ユニット１００は、分解・組み立てが可能であり、設置場所に、壁部１１１を形成する複数のパネルが搬入され、複数のパネルが互いに連結されることで、家畜を放す内部空間１１０ａが形成される。
【００１８】
内部空間１１０ａには、壁部１１１に沿って、家畜が飲水する水飲み場１１０ｂが配置されている。この水飲み場１１０ｂには、飲料水供給路１２０の端部が配置され、この端部に蛇口が設置されている。
【００１９】
また、内部空間１１０ａの底部には、底板を配置し、この底板の側縁と壁部１１１の下端とを連結してもよい。これにより、例えば、家畜飼育ユニット１００を建物の室内に設置しても、当該建物の床が、家畜の排泄物等により汚染されるのを防止できる。また、内部空間１１０ａには、廃木材チップに、排泄物を発酵させ分解する菌を混ぜた敷き床を配置することで、排出物が分解され、衛生的であるとともに、排泄物を除去する作業を省力化することが可能となる。また、家畜を放す内部空間１１０ａに、このような敷き床を配置することで、家畜により敷き床が踏み馴らされ、捏ね回されるので、菌の発酵が加速して排泄物の分解を促進することが可能となる。
【００２０】
飲料水供給路１２０は、通水管１２１の一端側が水道を供給する管に接続され、他端が飼育部１１０の水飲み場１１０ｂに配置され、飼育部１１０に、家畜の飲料水を供給する。また、飲料水供給路１２０には、通水管１２１の他端近傍に、水活性化装置１が配置されている。水道を供給する管から供給された水道水は、通水管１２１の一端から流入し、飲料水供給路１２０において、水活性化装置１により磁気処理された磁気処理水となり、通水管１２１の他端から水飲み場１１０ｂに供給される。これにより、飼育部１１０に放された家畜は、飲料水として磁気処理水を摂取することとなる。
【００２１】
＜水活性化装置１＞
図２は、本実施形態に係る水活性化装置１の外観を示す模式図である。水活性化装置１を構成する各部材は、ハウジング１０の内部に収容される。そして、ハウジング１０は、中空形状のハウジング本体１１と、ハウジング本体１１の両端に設けられた蓋体１２Ａ，１２Ｂとを含んで構成される。
【００２２】
図３は、水活性化装置１から蓋体１２Ａを外したときのハウジング本体１１の内部の状態を示す模式図である。ハウジング本体１１の内部には、少なくとも、通水管１３と、永久磁石１４Ａ，１４Ｂとが収容されている。そして、ハウジング本体１１の内部には、非磁性導電性金属板１５Ａ，１５Ｂと、ヨーク１６Ａ，１６Ｂと、がさらに収容されることが好ましい。
【００２３】
なお、水活性化装置１は、後述するように、通水管１３、永久磁石１４Ａ，１４Ｂ及びヨーク１６Ａ，１６Ｂが、充填部材１７（図４Ｄ参照）により覆われるのが、図３では、通水管１３、永久磁石１４Ａ，１４Ｂ及びヨーク１６Ａ，１６Ｂを示すために、その記載を省略している。
【００２４】
〔通水管１３〕
図４Ａは、水活性化装置１の通水管１３、永久磁石１４Ａ，１４Ｂ及びヨーク１６Ａ，１６Ｂの分解図であり、水活性化装置１の製造方法を説明するための図である。
通水管１３は、一端が通水管１２１（図１参照）の一端側に接続され、他端が通水管１２１の他端側に接続され、内部を水が通過し、両端１３Ａ，１３Ｂにねじ山を有する。ねじ山の形状は、隣り合う通水管１２１と螺合可能であれば特に限定されず、雄ねじであってもよいし、雌ねじであってもよい。通水管１３は、図２に示すように、両端１３Ａ，１３Ｂのねじ山とそれぞれ螺合する２つのナットにより、ハウジング１０に固定される。
【００２５】
図４Ａに戻って、通水管１３の延びる方向（長手方向）において、外側に磁気作用面を有する箇所１３Ｃ（通水管１３の両端１３Ａ，１３Ｂとは異なる箇所）の通水管１３の肉厚は、通水管１３の内部を流れる流体（水）から加わる力によって通水管１３が破壊しない程度であれば、できるだけ薄い方が好ましい（通水管１３の内部に通水される水に対して、磁力による活性化を促進できる）。
【００２６】
通水管１３を通る流体に対して磁力を好適に作用させる観点から、中間部分（外側に磁気作用面を有する箇所１３Ｃ）の肉厚の上限は、ねじ山を有する箇所（通水管１３の両端１３Ａ，１３Ｂに相当する箇所）の通水管１３の肉厚未満である。具体的には、通水管１３の肉厚が３．０ｍｍの鋼管である場合、通水管１３の中間部分（外側に磁気作用面を有する箇所１３Ｃ）の肉厚は、０．５ｍｍ以上２．５ｍｍ以下であることが好ましい。
【００２７】
例えば、通水管１３の肉厚が約３．０ｍｍである場合の永久磁石１４Ａ，１４Ｂの直下の磁力が、４，０００ガウスであった場合、通水管１３の中間部分（外側に磁気作用面を有する箇所１３Ｃ）の肉厚を約３．０ｍｍの半分の寸法である約１．５ｍｍにした場合、永久磁石１４Ａ，１４Ｂの直下の磁力が、４，５００ガウスになる（すなわち、磁力が１１％以上向上する。）。水活性化装置１は、取り付け場所が限られている場合もあり、外形をコンパクトにしたいという要望がある。また、水活性化装置１において、永久磁石１４Ａ，１４Ｂ等は、ハウジング１０の内部に配置され、このハウジング１０の内部のスペースは限られており、磁力を向上するために、単純に永久磁石１４Ａ，１４Ｂの大きさを大きくすることはできない。よって、通水管１３の中間部分（外側に磁気作用面を有する箇所１３Ｃ）の肉厚を、両端より薄くすることで、省スペース化と磁力の向上という、従来、相反する効果を奏することが可能となる。
【００２８】
ねじ山を有する箇所（通水管１３の両端１３Ａ，１３Ｂに相当する箇所）の通水管１３の肉厚は、外側に磁気作用面を有する箇所１３Ｃ（通水管１３の両端１３Ａ，１３Ｂとは異なる箇所）の通水管１３の肉厚よりも厚い。これは、通水管１３の内面又は外面にねじ山が設けられており、ねじ山を有するを有する箇所の肉厚が薄すぎると、通水管１３の強度に支障が出るためである。
【００２９】
通水管１３の材料は、両端１３Ａ，１３Ｂにねじ山を有していれば、特に限定されず、金属管であっても、樹脂管であってもよい。
【００３０】
中でも、通水管１３の内部に通水される水をより効率よく活性化させるため、通水管１３は、非磁性の材料であることが好ましい。
【００３１】
非磁性の金属管として、オーステナイト鋼製のステンレス鋼管（ＳＵＳ３０４等）等が挙げられる。また、樹脂管として、ポリエチレン管、ポリ塩化ビニル管、架橋ポリエチレン管、ポリブテン管等が挙げられる。
【００３２】
〔永久磁石１４Ａ，１４Ｂ〕
永久磁石１４Ａ，１４Ｂの種類は、特に限定されない。永久磁石１４の種類として、アルニコ磁石、ＫＳ鋼、ＭＫ鋼、フェライト磁石、サマリウムコバルト磁石、ネオジム磁石、プラセオジム磁石、ネオジウム・鉄・ボロン磁石、サマリウム窒素鉄磁石、強磁性窒化鉄、白金磁石、セリウム・コバルト磁石等が挙げられる。
【００３３】
永久磁石１４Ａ，１４Ｂは、通水管１３の延びる方向（長手方向）を挟んで対向するように設けられる。そして、一方の永久磁石１４Ａは、通水管１３に対面する面がＮ極になるように配置され、他方の永久磁石１４Ｂは、通水管１３に対面する面がＳ極になるように配置される。これにより、一方の永久磁石１４ＡのＮ極を有する面と、他方の永久磁石１４ＢのＳ極を有する面とが、それぞれ、通水管１３の内部を通過する水に磁気を作用させる磁気作用面として機能する。そして、磁気作用面は、通水管１３の両端１３Ａ，１３Ｂとは異なる領域の少なくとも一部において、通水管１３の延びる方向（長手方向）と略平行に設けられる。
【００３４】
本実施形態では、通水管１３の延びる方向（長手方向）において、外側に磁気作用面を有する箇所１３Ｃ（通水管１３の両端１３Ａ，１３Ｂとは異なる箇所）の通水管１３の肉厚は、ねじ山を有する箇所（通水管１３の両端１３Ａ，１３Ｂに相当する箇所）の通水管１３の肉厚よりも薄い。これにより、通水管１３を通る流体に作用する磁力をよりいっそう高めることができる。
【００３５】
また、永久磁石１４Ａ，１４Ｂは、通水管１３が延びる方向に沿って、所定間隔を空けて複数並べられることが好ましい。そうすることで、磁力の勾配ができ、通水管１３の中を流れる流体をよりいっそう活性化できる。
【００３６】
また、永久磁石１４Ａ，１４Ｂは、直方体形状に形成されているが、これに限らず、例えば、通水管１３に対面する面を、通水管１３の外周に沿った湾曲形状に形成してもよい。これにより、永久磁石１４Ａ，１４Ｂと通水管１３との間に隙間ができず、無駄なく通水管１３を通る水に対して磁力を集約できる。
【００３７】
〔非磁性導電性金属板１５Ａ，１５Ｂ〕
図３に示すように、本実施形態では、永久磁石１４の側面に、一対の非磁性導電性金属板１５Ａ，１５Ｂが配されることが好ましい。
【００３８】
水活性化装置１では、永久磁石１４ＡのＮ極から永久磁石１４ＢのＳ極に向けて、磁力が生じている。この磁力が作用する通水管１３内に、流体（水）が流れると、その流体の方向と直交し、この磁力の磁力線の方向（永久磁石１４Ａの磁気作用面から永久磁石１４Ｂの磁気作用面に向かう方向）とも直交する方向に起電流が発生する。
【００３９】
非磁性導電性金属板１５Ａ，１５Ｂは、このように生じる起電流を放電損失のないように誘導帯電させ、この帯電によって発生する電子を流体中に効率よく放出させるために設けられる。
【００４０】
一対の非磁性導電性金属板１５Ａ，１５Ｂは、永久磁石１４Ａ，１４Ｂの磁気作用面を挟んで対向しており、その磁気作用面に、その面が対向して配置され、永久磁石１４Ａ，１４Ｂの側面に配されている。
【００４１】
〔ヨーク１６Ａ，１６Ｂ〕
水活性化装置１は、ヨーク１６Ａ，１６Ｂをさらに備えることが好ましい。ヨーク１６Ａ，１６Ｂは、永久磁石１４Ａ，１４Ｂの磁気作用面の反対面側に配される。そして、ヨーク１６Ａ，１６Ｂは、その両端部が永久磁石１４Ａ，１４Ｂの磁気作用面側に略コの字型に折曲されてなり、永久磁石１４Ａ，１４Ｂの磁気作用面と平行に配置された中央部１６ａと、中央部１６ａの両端から、永久磁石１４Ａ，１４Ｂの磁気作用面側に、それぞれ延びる、両端部の一例である折り曲げ部１６ｂと、を備える。
【００４２】
ヨーク１６Ａ，１６Ｂは、永久磁石１４Ａ，１４Ｂの吸着力を高める機能を有する。ヨーク１６Ａ，１６Ｂの材質は、永久磁石１４Ａ，１４Ｂの吸着力を高める磁性材料であれば特に限定されず、例えば、鋼材（ＳＳ４００等）、純鉄（ＳＵＹ−１等）、軟鉄板、磁性セラミック板等が挙げられる。
【００４３】
図３に示す例において、ヨーク１６Ａの折り曲げ部１６ｂの端部と、ヨーク１６Ｂの折り曲げ部１６ｂの端部と、は、互いに間隔を空けて配置されている。しかしながら、これに限らず、ヨーク１６Ａの折り曲げ部１６ｂ及びヨーク１６Ｂの折り曲げ部１６ｂは、端部が、互いに接触するように、形成してもよい。これにより、ヨーク１６Ａの折り曲げ部１６ｂの端部と、ヨーク１６Ｂの折り曲げ部１６ｂの端部と、の隙間から磁束が漏れることを防止でき、通水管１３の内部における磁束密度を上昇させることができる。
【００４４】
本実施形態では、永久磁石１４Ａ，１４Ｂの着磁方向に対して略直交する方向における、ヨーク１６Ａ，１６Ｂの両端部（折り曲げ部１６ｂ）の永久磁石１４Ａ，１４Ｂに対向する面と、永久磁石１４Ａ，１４Ｂの互いに対向する方向と直交する方向の端部との間の距離は、永久磁石１４Ａ，１４Ｂの厚さ（永久磁石１４Ａ，１４Ｂの互いに対向する方向の寸法）の１／２倍よりも大きいことが好ましく、永久磁石１４Ａ，１４Ｂの厚さの略１．５倍以あることが好ましい。ヨーク１６Ａ，１６Ｂの両端部と永久磁石１４Ａ，１４Ｂとの間が離れていることで、永久磁石１４ＡのＮ極から永久磁石１４ＢのＳ極に向けた磁気回路の短絡に起因して磁束密度が低下するのを防止できる。
【００４５】
〔充填部材１７〕
必須の構成ではないが、ハウジング１０の内部に充填部材１７（後述する図４Ｄ参照）が形成されることが好ましい。
【００４６】
充填部材１７は、ハウジング１０の内部空間であって、ハウジング１０の内側に収容された永久磁石１４Ａ，１４Ｂと、一対の非磁性導電性金属板１５Ａ，１５Ｂと、ヨーク１６Ａ，１６Ｂとの隙間等に充填された流動性の充填材の固化物である。
【００４７】
充填部材１７が形成されることで、ハウジング１０の内部に外部から水分等が浸入した場合や、ハウジング１０の内部において結露が発生した場合でも、充填部材１７に覆われた永久磁石１４Ａ，１４Ｂ、非磁性導電性金属板１５Ａ，１５Ｂ、ヨーク１６Ａ，１６Ｂに外部からの水分等が付着し、錆が発生するのを防止できるため、水活性化装置１の磁気的性能や水活性化性能を長期に亘って安定して維持することができる。
【００４８】
また、充填部材１７によって、ハウジング１０の内部において、配設した永久磁石１４Ａ，１４Ｂ等のがたつきを防止することもできるので、永久磁石１４Ａ，１４Ｂと、非磁性導電性金属板１５Ａ，１５Ｂと、ヨーク１６Ａ，１６Ｂとの配置にずれや歪みが生じてしまうことや、永久磁石１４Ａ，１４Ｂに割れ欠けが生じてしまうことを低減することができ、水活性化装置１の磁気的性能や水活性化性能を維持することができる。
【００４９】
充填部材１７の材質は、永久磁石１４Ａ，１４Ｂと、一対の非磁性導電性金属板１５Ａ，１５Ｂと、ヨーク１６Ａ，１６Ｂとの隙間等に充填できる材料であれば特に限定されるものでなく、例えば、シリコーン樹脂等が挙げられる。
【００５０】
〔ハウジング１０〕
図２に戻り、ハウジング１０は、中空形状（例えば、円筒形状等）のハウジング本体１１と、ハウジング本体１１の両端に設けられた蓋体１２Ａ，１２Ｂとを含んで構成される。なお、ハウジング１０は、中空形状であれば、円筒形状に限らず、四角柱形状等の多角柱形状等の任意の形状とすることができる。
【００５１】
ハウジング１０（ハウジング本体１１、蓋体１２Ａ，１２Ｂ）は、例えば、ステンレス鋼で形成されているが、ＡＢＳ樹脂が成型された部材であって、銅メッキ、ニッケルメッキ、クロムメッキの３層のメッキ層によって被覆されているものでもよい。
【００５２】
蓋体１２Ａ，１２Ｂには、ハウジング本体１１両端の外形及び外径と、略同じ形状の外形及び外径で形成された側縁を有し、例えば、円筒形状のハウジング本体１１に対して、半球形状で形成され、その略中心に貫通孔が設けられている。このような蓋体１２Ａ，１２Ｂが、ハウジング本体１１の両端にそれぞれ取り付け、通水管１３の両端を貫通孔から突出させることで、ハウジング本体１１の中空部分の中心軸と、通水管１３の中心軸が一体になるように通水管１３等を、ハウジング１０の内部に収納可能となる。
【００５３】
本実施形態では、通水管１３等が、中空形状のハウジング本体１１の中空部分に、ハウジング本体１１の中空部分の中心軸と通水管１３の中心軸が一体になるように収納されるとともに、ハウジング本体１１と、蓋体１２Ａ，１２Ｂとが、レーザーによって溶接一体化されていることが好ましい。
【００５４】
＜水活性化装置１の製造方法＞
以下、図４Ａ〜図４Ｆを参照しながら、本実施形態に係る水活性化装置１の製造方法について説明する。
【００５５】
〔ハウジング１０の内部を構成する部材の組み付け〕
まず、図４Ａに示すように、ハウジング１０の内部を構成する部材、具体的には、中間部分（永久磁石１４Ａ，１４Ｂで挟む部分）の肉厚を、両端部１３Ａ，１３Ｂより薄くした通水管１３、永久磁石１４Ａ，１４Ｂ、非磁性導電性金属板１５Ａ，１５Ｂ、及びヨーク１６Ａ，１６Ｂを準備する。
【００５６】
その際、ヨーク１６Ａの基板部には、複数の永久磁石１４Ａを、長手方向に沿って所定間隔で着磁させておく。このとき、ヨーク１６Ａの基板部と永久磁石１４ＡのＳ極とが接する状態にある。また、永久磁石１４Ａは、ヨーク１６Ａの両端部から、永久磁石１４Ａの厚さの１／２よりも長く離した状態にある。
【００５７】
また、ヨーク１６Ｂの基板部には、複数の永久磁石１４Ｂを、長手方向に沿って所定間隔で着磁させておく。このとき、ヨーク１６Ｂの基板部と永久磁石１４ＢのＮ極とが接する状態にある。また、永久磁石１４Ｂは、ヨーク１６Ｂの両端部から、永久磁石１４Ａの厚さの１／２よりも長く離した状態にある。
【００５８】
続いて、図４Ｂに示すように、ヨーク１６Ａの両端部と永久磁石１４Ａとの間に、それぞれ非磁性導電性金属板１５Ａ，１５Ｂを挿入し、永久磁石１４Ａの上に通水管１３を配置し、その上に、複数の永久磁石１４Ｂを着磁させたヨーク１６Ｂを被せる。これにより、図４Ｃに示す状態となる。このとき、複数の永久磁石１４Ａと複数の永久磁石１４Ｂとが互いに引き合うので、通水管１３、永久磁石１４Ａ，１４Ｂ、非磁性導電性金属板１５Ａ，１５Ｂ、及びヨーク１６Ａ，１６Ｂが一体的な状態で固定されている。
【００５９】
〔充填部材１７の充填〕
次いで、図４Ｄに示すように、図４Ｃに示す通水管１３と、永久磁石１４Ａ，１４Ｂと、一対の非磁性導電性金属板１５Ａ，１５Ｂと、ヨーク１６Ａ，１６Ｂとの隙間に、流動性の充填部材１７（例えば、シリコン等）を流し込むように充填するとともに、ヨーク１６Ａ，１６Ｂの周囲に、当該充填材を塗布する。
【００６０】
〔ハウジング本体１１への収納〕
次いで、図４Ｅに示すように、中空形状のハウジング本体１１の中空部分に、図４Ｃに示す通水管１３、永久磁石１４Ａ，１４Ｂ、非磁性導電性金属板１５Ａ，１５Ｂ、及びヨーク１６Ａ，１６Ｂが組みつけられ、充填部材１７が充填され塗布された組み付け部材１８を、ハウジング本体１１の中空部分に収納する。
【００６１】
〔ハウジング本体１１と蓋体１２Ａ，１２Ｂとの接合〕
次いで、図４Ｆに示すように、ハウジング本体１１に、収納された上記組み付け部材１８の通水管１３の両端部１３Ａ，１３Ｂを、それぞれ蓋体１２Ａ，１２Ｂの貫通孔に挿通し、ハウジング本体１１の両側縁に、蓋体１２Ａ，１２Ｂを、それぞれレーザーによる溶接で接合する。そして、必要に応じて、研磨処理する。
上記の工程を経て、本実施形態の水活性化装置１が製造される。
【００６２】
レーザー溶接に使用するレーザーの種類は、例えば、ＹＡＧレーザーが望ましい。これにより、ハウジング本体１１と、蓋体１２Ａ，１２Ｂとを溶接一体化する際、熱によって永久磁石１４Ａ，１４Ｂの磁力が低下することや、充填部材１７が外部に溶出することを防止できる。
【００６３】
溶接する工程における詳細は、まず、ハウジング本体１１と、蓋体１２Ａと、をＹＡＧレーザーにより、仮止めする。ＹＡＧレーザーは、電圧３５０〜３７０Ｖ、周波数３０Ｈｚが望ましい。この状態において、組み付け部材１８を、ハウジング本体１１の中空部分に挿入し、蓋体１２Ａの貫通孔に通水管１３の端部１３Ａを挿入する。
【００６４】
その後、通水管１３の端部１３Ｂを、蓋体１２Ｂの貫通孔に挿通し、ハウジング本体１１と、蓋体１２Ｂと、をＹＡＧレーザーにより、仮止めする。
【００６５】
その後、ハウジング本体１１と、蓋体１２Ａ，１２Ｂと、をそれぞれＹＡＧレーザーにより本溶接してから、蓋体１２Ａ，１２Ｂと通水管１３とを、ＹＡＧレーザーにより本溶接する。
【００６６】
このように、ハウジング本体１１と、蓋体１２Ａ，１２Ｂと、を本溶接してから、蓋体１２Ａ，１２Ｂと、通水管１３と、を本溶接することで、蓋体１２Ａ，１２Ｂと通水管１３とを本溶接した際に、ハウジング本体１１と蓋体１２Ａ，１２Ｂとの仮止めが外れることを防止できる。
【００６７】
本溶接では、仮止め時と同様の溶接機で溶接してもよいし、例えば、仮止め時はハンディ型の溶接機を使用し、本溶接では連続して（例えば、仮止めしたハウジング本体１１と蓋体１２Ａ，１２Ｂとを、レーザー照射位置に対して回転させて）溶接が可能なロボット型の溶接機を使用してもよい。
例えば、ロボット型の溶接機を使用する場合には、レーザー幅（パルス１発の時間）を１１．９ミリセックとし、パルス周波数を２２Ｈｚとし、溶接速度を３０ｃｍ／分とし、出力を３２０〜３５０Ｗとしてもよい。
なお、溶接速度とは、レーザー照射位置に対して、仮止めしたハウジング本体１１及び蓋体１２Ａ，１２Ｂを回転させる速度である。
【００６８】
なお、溶接の手法は、ＹＡＧレーザーのほか、炭酸ガスレーザーアーク溶接やガス溶接等でもよい。
【００６９】
＜実験例＞
次に、本実施形態に係る水活性化装置１のヨーク１６Ａ，１６Ｂの態様を変化させた場合における、通水管１３の内部における磁束密度を計測した実験例について説明する。
図５は、実験例における水活性化装置１の内部を模式的に示した図である。
図５に示す例では、ヨーク１６Ａの折り曲げ部１６ｂ及びヨーク１６Ｂの折り曲げ部１６ｂは、端部が、互いに接触するように、形成されている点が、図３に示す例と異なる。
また、以下に説明する実験例における永久磁石１４Ａ，１４Ｂの厚さ（永久磁石１４Ａ，１４Ｂの互いに対向する方向の寸法）は、１０ｍｍである。また、以下に説明する実験例におけるヨーク１６Ａ，１６Ｂは、純鉄（ＳＵＹ−１）で形成した。
【００７０】
〔実験例１〕
実験例１では、ヨーク１６Ａ，１６Ｂの折り曲げ部１６ｂの永久磁石１４Ａ，１４Ｂに対向する面と、永久磁石１４Ａ，１４Ｂの互いに対向する方向（着磁方向）と直交する方向の端部との間の距離Ｓ（図５参照）を変え、各距離における、通水管１３の内部における磁束密度を計測した。また、実験例１では、ヨーク１６Ａ，１６Ｂの厚さｔは、４．５ｍｍである。
【００７１】
具体的には、実験例１では、上記距離を、５ｍｍ（永久磁石１４Ａ，１４Ｂの厚さの１／２の寸法）〜２０ｍｍ（永久磁石１４Ａ，１４Ｂの厚さの２倍の寸法）の間で変え、各距離における、通水管１３の内部における磁束密度を計測した。
【００７２】
図６は、実験例１の実験結果を示すグラフである。図６において、横軸は、ヨーク１６Ａ，１６Ｂの折り曲げ部１６ｂと、永久磁石１４Ａ，１４Ｂと、の間の距離Ｓ（図５参照）（単位：ｍｍ）を示している。また、図６において、縦軸は通水管１３中心線に沿った複数箇所で計測した磁束密度の値の平均である平均磁束密度（単位：Ｔ）を示している。
【００７３】
図６に示す実験例１の実験結果より、ヨーク１６Ａ，１６Ｂの折り曲げ部１６ｂと、永久磁石１４Ａ，１４Ｂと、の間の距離Ｓ（図５参照）を離すことによって、平均磁束密度（単位：Ｔ）が上昇するが、距離Ｓを１５ｍｍ（永久磁石１４Ａ，１４Ｂの厚さの１．５倍）以上離しても、平均磁束密度が増加しないことが分かった。
【００７４】
この実験例１の実験結果より、ヨーク１６Ａ，１６Ｂの折り曲げ部１６ｂと、永久磁石１４Ａ，１４Ｂと、の間の距離Ｓ（図５参照）は、永久磁石１４Ａ，１４Ｂの厚さの１／２倍よりも大きく、永久磁石１４Ａ，１４Ｂの厚さの略１．５倍以下とすることが好ましいことが確認できた。例えば、ヨーク１６Ａ，１６Ｂの折り曲げ部１６ｂと、永久磁石１４Ａ，１４Ｂと、の間の距離Ｓを、永久磁石１４Ａ，１４Ｂの厚さの略１．５倍とすることで、通水管１３の内部における磁束密度を最大にしつつ、不必要に水活性化装置１が大きくなるのを防止できる。
【００７５】
〔実験例２〕
実験例２では、ヨーク１６Ａ，１６Ｂの折り曲げ部１６ｂの永久磁石１４Ａ，１４Ｂに対向する面と、永久磁石１４Ａ，１４Ｂの互いに対向する方向（着磁方向）と直交する方向の端部との間の距離Ｓを１５ｍｍ（永久磁石１４Ａ，１４Ｂの厚さの略１．５倍）とし、ヨーク１６Ａ，１６Ｂの厚さｔ（図５参照）を変え、各厚さにおける、通水管１３の内部における磁束密度を計測した。
【００７６】
具体的には、実験例２では、上記厚さｔを、２ｍｍ（永久磁石１４Ａ，１４Ｂの厚さの１／５の寸法）〜７ｍｍ（永久磁石１４Ａ，１４Ｂの厚さの７／１０の寸法）の間で変え、各厚さにおける、通水管１３の内部における磁束密度を計測した。
【００７７】
図７は、実験例２の実験結果を示すグラフである。図７において、横軸は、ヨーク１６Ａ，１６Ｂの厚さｔ（図５参照）（単位：ｍｍ）を示している。また、図７において、縦軸は通水管１３中心線に沿った複数箇所で計測した磁束密度の値の平均である平均磁束密度（単位：Ｔ）を示している。
【００７８】
図７に示す実験例２の実験結果より、ヨーク１６Ａ，１６Ｂの厚さｔ（図５参照）を厚くすることによって、平均磁束密度（単位：Ｔ）が上昇するが、厚さｔを４．５ｍｍから５ｍｍ（永久磁石１４Ａ，１４Ｂの厚さの２／５から１／２）以上にしても、平均磁束密度が増加しないことが分かった。
【００７９】
この実験例２の実験結果より、ヨーク１６Ａ，１６Ｂの厚さｔ（図５参照）は、永久磁石１４Ａ，１４Ｂの厚さの２／５から１／２の寸法にすることが好ましいことが確認できた。
【００８０】
また、別の実験おいて、ヨーク１６Ａ，１６Ｂを、鋼材（ＳＳ４００）で形成し、実験例１と同様の実験を行ったが、実験例１と同様の実験結果であった。
この実験結果より、ヨーク１６Ａ，１６Ｂの材質は、鋼材（ＳＳ４００）でも純鉄（ＳＵＹ−１）でも、通水管１３の内部における磁束密度に変化がないことが確認できた。
【００８１】
上記実験例１及び実験例２の実験結果より、水活性化装置１における通水管１３の中心線に沿った複数箇所の平均磁束密度は０．２５Ｔ〜０．３５Ｔの間であることが分かった。
【００８２】
＜本実施形態の水活性化装置１の作用効果＞
本実施形態の水活性化装置１は、永久磁石１４Ａ，１４Ｂの着磁方向に対して略直交する方向における、ヨーク１６Ａ，１６Ｂの両端部と永久磁石１４Ａ，１４Ｂとの間の距離は、永久磁石１４Ａ，１４Ｂの厚さの１／２倍よりも大きい。ヨーク１６Ａ，１６Ｂの折り曲げ部１６ｂと永久磁石１４Ａ，１４Ｂとの間が離れていることで、永久磁石１４ＡのＮ極から永久磁石１４ＢのＳ極に向けた磁気回路の短絡に起因して磁束密度が低下するのを防止できる。
【００８３】
また、本実施形態の水活性化装置１では、通水管１３の延びる方向（長手方向）において、外側に磁気作用面を有する箇所１３Ｃ（通水管１３の両端部１３Ａ，１３Ｂとは異なる箇所）の通水管１３の肉厚は、ねじ山を有する箇所（通水管１３の両端部１３Ａ，１３Ｂに相当する箇所）の通水管１３の肉厚よりも薄い。ここで、磁束密度は、磁場の強さと透磁率との積によって表される。水活性化装置１によれば、従来の通水管に比べて、外側に磁気作用面を有する箇所（通水管１３の両端部１３Ａ，１３Ｂとは異なる箇所）における透磁率を高くすることができる。これにより、磁場の強さが同じであっても、通水管１３を通る水に作用する磁束密度を大きくすることができる。したがって、通水管１３を通る水に作用する磁力をよりいっそう高めることができる。
【００８４】
また、本実施形態の水活性化装置１の製造方法によれば、ハウジング本体１１と、蓋体１２Ａ，１２Ｂとが、レーザーによって溶接一体化されることで、ハウジング本体１１の中空部分の中心軸と通水管１３の中心軸とを合わせることができるので、例えば、本実施形態の水活性化装置１を水道管（図示せず）に接続し、地中に埋設し、ハウジング１０にアンバランスな土圧がかかった場合であっても、水活性化装置１と水道管との接続部分、より具体的には、通水管１３の端部１３Ａ，１３Ｂに、偏った力が加わるのを防止できる。
【００８５】
〔実験例３〕
実験例３では、水活性化装置１の通水管１３を流通する水の流速を０ｍ／ｓｅｃ〜０．６ｍ／ｓｅｃに変化させた場合における、通水管内で発生する起電力の変化を計測した。
【００８６】
図８は、実験例３の実験結果を示すグラフである。図８において、横軸は、通水管１３を流通する水の流速（単位：ｍ／ｓｅｃ）を示している。また、図８において、縦軸は通水管内で発生した起電力（単位：ｍＶ）を示している。
【００８７】
ここで、家畜の飼育において、家畜に飲料水を供給する場合の通水管１３を流通する水の流速は、０．５ｍ／ｓｅｃ〜１．０ｍ／ｓｅｃであることが望ましい。
図８に示す例によれば、通水管１３を流通する水の流速が０．５ｍ／ｓｅｃの場合、通水管内で発生した起電力は約１３０ｍＶであり、流速が速くなるにつれ、起電力が大きくなることが分かる。
よって、家畜に飲料水を供給する場合の望ましい流速（０．５ｍ／ｓｅｃ〜１．０ｍ／ｓｅｃ）での起電力は、５０ｍＶ〜１７０ｍＶの間であることが推測できる。
【００８８】
〔実験例４〕
実験例４では、家畜の一例である豚の飼育において、上記の水活性化装置１により磁気処理された磁気処理水を、飲料水として複数の豚に飲水させた場合と、磁気処理されていない水道水を、飲料水として複数の豚に飲水させた場合と、で各豚の体重の増加量を測定した。
この実験結果では、磁気処理水を飲水させた複数の豚は、磁気処理されていない水道水を飲水させた複数の豚に比べ、各豚の体重の増加量のバラツキが少ない（複数の豚のうち、増加量が最大の豚と、増加量が最小の豚と、の増加量の差が小さい）ことが分かった。即ち、磁気処理水を飲水させた複数の豚は、満遍なく順調に体重が増加することが分かった。
【００８９】
また、磁気処理されていない水道水を飲水させた複数の豚は、大きさにバラツキがあり、食欲の個体差がそのまま大小に影響していると推測される。また、磁気処理されていない水道水を飲水させた複数の豚は、投入した餌が毎回残っており、昼間は寝ている時が多いことが観察された。
【００９０】
一方、磁気処理水を飲水させた複数の豚は、頻繁に飲水することで、飲水量が磁気処理されていない水道水に比べ増加し、大きさが綺麗に揃っており、肉付きが整っており、投入した直後に餌を直ぐに食べ切り、毎回全く残っておらず、昼間でも走り回っており、餌を欲しがり、食事前にはよく鳴いていることが観察された。
【００９１】
この実験結果より、水活性化装置１により磁気処理された磁気処理水は、家畜の一例である豚の飲水や餌の摂取を促し、順調な体重増加に寄与することが確認できた。
【００９２】
なお、本発明は前記実施形態に限定されるものではなく、本発明の目的を達成できる範囲での変形、改良等は本発明に含まれるものである。
【符号の説明】
【００９３】
１  水活性化装置
１０  ハウジング
１１  ハウジング本体
１２Ａ，１２Ｂ  蓋体
１３  通水管
１４  永久磁石
１６Ａ，１６Ｂ  ヨーク
１６ａ  中央部
１６ｂ  折り曲げ部
１７  充填部材
１８  組み付け部材
１００  家畜飼育ユニット
１１０  飼育部
１１０ａ  内部空間
１１０ｂ  水飲み場
１１１  壁部
１２０  飲料水供給路
１２１  通水管
【図１】
2018134047.tif 000003
【図２】
2018134047.tif 000004
【図３】
2018134047.tif 000005
【図４Ａ】
2018134047.tif 000006
【図４Ｂ】
2018134047.tif 000007
【図４Ｃ】
2018134047.tif 000008
【図４Ｄ】
2018134047.tif 000009
【図４Ｅ】
2018134047.tif 000010
【図４Ｆ】
2018134047.tif 000011
【図５】
2018134047.tif 000012
【図６】
2018134047.tif 000013
【図７】
2018134047.tif 000014
【図８】
2018134047.tif 000015